(57)【特許請求の範囲】
【請求項１】
目詰まりの際にエアクリーナ内に生じる負圧によって目詰まりを検知するエアクリーナ用目詰まり検知装置であって、
前記エアクリーナ内に連通させて取付けられ少なくとも一端面が透明に形成されたケースと、
このケース内において前記一端面から該ケース内方に向けて突設され先端に着色部を有する凸状部、この凸状部に対して進退可能に取付けられ且つ付勢手段によって前記一端面に押圧される凹状の鏡体、この鏡体の底面に設けられ該鏡体が前記一端面に押圧された状態において前記着色部が挿入される筒状支持体からなる表示部と、
前記負圧を利用して前記鏡体を後退させるベロフラムと、
前記鏡体の後退した状態を維持する係合手段とから構成され、
前記係合手段は、
前記筒状支持体の外周に接するとともに前記ケースを横方向に貫通するように延び、かつ前記ケースの径方向とほぼ平行な二本の弾性棒と、
前記ケースの外方にてこれら二本の弾性棒の一端が連接される押圧部と、
前記ケースの内周面に掛合するよう前記弾性棒に一体形成された係止部とを備え、
前記弾性棒は、前記ケースの側部中央に穿設された連通口間に刺し渡されて前記ケースを貫通するように配設されるとともに、前記筒状支持体は、前記ケース内において、前記二本の弾性棒によって挟持されており、
前記鏡体が後退した際に、前記筒状支持体内から離脱した着色部が鏡体に拡大して映し出されるようにするとともに、前記押圧部を前記ケースの径方向に押すことによって、前記表示部を元の位置に戻すことができるように構成されていることを特徴とするエアクリーナ用目詰まり検知装置。
【発明の詳細な説明】
【０００１】
【発明の属する技術分野】
この発明は、主として内燃機関のエアクリーナに用いられる目詰まり検知装置に関する。
【０００２】
【従来の技術】
内燃機関のエアクリーナにはエアクリーナエレメントが目詰まりして掃除や交換が必要であることを感知して目詰まり状態を知らせる目詰まり検知装置が設けられている。この目詰まり検知装置としては、例えば特公昭４３−２２８２１号公報に開示されているように吸入側および負圧側を有するものがある。
【０００３】
詳しくは、この検知装置は検知装置のケーシング内に伸縮することによってこれのケーシングの内部を第１の室部分と第２の室部分とに隔成するベロー状隔膜を備えるもので、これによって隔成される第１の室部分は外気に通じ、第２の室部分はエアクリーナ内に通じている。そして、このベロー状隔膜には圧縮コイルバネが取付けられており、これによって、第１の室部分内の気圧に抗してベロー状隔膜を収縮した状態に保持する。
【０００４】
さらに、前記ベロー状隔膜にはこれの伸縮に伴って移動する信号要素が取付けられており、この信号要素は、ベロー状隔膜が収縮した状態にあっては、ケーシングの壁部に設けられた窓手段を通して外部からは見えない位置に保持され、ベロー状隔膜が伸長した状態にあっては窓手段を通して外部から見え得る位置に移動される。
【０００５】
そして、このような検知装置では、前記コイルバネによって第１の室部分内の気圧に抗して前記隔膜を収縮した状態に維持するとともに、信号要素を窓手段から見られない位置に保持する。そして、第２の室部分内において圧力の増大が起きた際にはそのコイルバネに抗して前記ベロー状隔膜を伸長させ、信号要素を窓手段を通して見え得る位置に移動させ、その結果エアクリーナ内の目詰まりを見知することができる。
【０００６】
なお、上記公報に開示された検知装置は第１の室部分内にベロー状隔膜の伸長状態を保持するための手段として、ベロー状隔膜の中間部分に固定支持されるステムと、これと協動する掛け金手段とを備えている。また、ベロー状隔膜の伸長状態を解除する手段として、案内手段によって支えられこれと協働し滑動自在に突出するボタンと、ステム用取りはずし手段とを備えている。
【０００７】
【課題を解決するための手段】
上記目的を達成するために、この発明は、目詰まりの際にエアクリーナ内に生じる負圧によって目詰まりを検知するエアクリーナ用目詰まり検知装置であって、前記エアクリーナ内に連通させて取付けられ少なくとも一端面が透明に形成されたケースと、このケース内において前記一端面から該ケース内方に向けて突設され先端に着色部を有する凸状部、この凸状部に対して進退可能に取付けられ且つ付勢手段によって前記一端面に押圧される凹状の鏡体、この鏡体の底面に設けられ該鏡体が前記一端面に押圧された状態において前記着色部が挿入される筒状支持体からなる表示部と、前記負圧を利用して前記鏡体を後退させるベロフラムと、前記鏡体の後退した状態を維持する係合手段とから構成され、前記係合手段は、前記筒状支持体の外周に接するとともに前記ケースを横方向に貫通するように延び、かつ前記ケースの径方向とほぼ平行な二本の弾性棒と、前記ケースの外方にて前記二本の弾性棒の一端が連接される押圧部と、前記ケースの内周面に掛合するよう前記弾性棒に一体形成された係止部とを備え、前記弾性棒は、前記ケースの側部中央に穿設された連通口間に刺し渡されて前記ケースを貫通するように配設されるとともに、前記筒状支持体は、前記ケース内において、前記二本の弾性棒によって挟持されており、前記鏡体が後退した際に、前記筒状支持体内から離脱した着色部が鏡体に拡大して映し出されるようにするとともに、前記押圧部を前記ケースの径方向に押すことによって、前記表示部を元の位置に戻すことができるように構成されていることを特徴とするものである。
【０００８】
この発明は、以上の問題点を解決するものであって、エアクリーナ用目詰まり検知装置の構成部品を少なくすることにより、構造を簡素化して軽量で安価とするとともに、表示部を見やすくする機能を有する目詰まり検知装置を提供することにある。
【０００９】
【課題を解決するための手段】
上記目的を達成するために、この発明は、目詰まりの際にエアクリーナ内に生じる負圧によって目詰まりを検知するエアクリーナ用目詰まり検知装置であって、前記エアクリーナ内に連通させて取付けられ少なくとも一端面が透明に形成されたケースと、このケース内において前記一端面から該ケース内方に向けて突設され先端に着色部を有する凸状部、この凸状部に対して進退可能に取付けられ且つ付勢手段によって前記一端面に押圧される凹状の鏡体、この鏡体の底面に設けられ該鏡体が前記一端面に押圧された状態において前記着色部が挿入される筒状支持体からなる表示部と、前記負圧を利用して前記鏡体を後退させるベロフラムと、前記鏡体の後退した状態を維持する係合手段とから構成され、前記鏡体が後退した際に、前記筒状支持体内から離脱した着色部が鏡体に映し出されることを特徴とするものである。
【００１０】
上記構成を有するこの発明のエアクリーナ用目詰まり検知装置によれば、エアクリーナ内において、目詰まりによって所定の負圧が発生すると、ベロフラムが付勢手段に抗して収縮し、これよって鏡体と支持体が後退するとともに係合手段により鏡体が固定される。このとき、支持体内から露出した着色部が鏡体に拡大されて映り、これがケースの透明な一端面を通して視覚され、目詰まりを検知することができる。また、エレメントを掃除するか、或いは新しいエレメントに交換して目詰まりの状態を解消した後には、フックの押圧部をケースの径方向に押すことによって、弾性棒の係止部がケース内部に接触し、さらに弾性棒が外方に湾曲し、弾性棒をフック係合溝から外すこともできる。これによって、スプリングの力で表示部を元の位置に戻すことが可能となる。
【００１１】
【発明の実施の形態】
以下、この発明の一実施形態を図面を用いて詳細に説明する。図１はこの実施形態にかかるエアクリーナ用目詰まり検知装置１００の組立て断面図、図２は同エアクリーナ用目詰まり検知装置１００の支持体１７とフック６の関係を示す断面図、図３は同エアクリーナ用目詰まり検知装置１００の目詰まり状態を示す組立て断面図、図４は同エアクリーナ用目詰まり検知装置１００の目詰まり状態を示す支持体１７とフック６の関係を示す断面図、図５はエアクリーナ用目詰まり検知装置１００がエアクリーナ２７へ取り付けられた状態を示すものである。
【００１２】
かかるエアクリーナ用目詰まり検知装置１００は、図１に示すように、エアクリーナ２７の排出管２９内に連通させて取付けられ、少なくとも一端面１ａが透明に形成されたケース１と、このケース１内に配設され凹状の鏡体１３を有する表示部３と、この表示部３に接続されるベロフラム５と、鏡体１３を進退可能に係合する係合手段であるフック６とから概略構成されるものである。
【００１３】
前記ケース１は円筒状をなすものであり、本実施形態では全体が透明な合成樹脂で成型され、その下部２１には円盤状の取付部２が取付けられている。なお、この取付部２の中央には内ネジ１１を備えた取付孔１２が設けられており、この取付孔１２を介して、エアクリーナ用目詰まり検知装置１００はエアクリーナ２７で濾過され清浄となった空気がエンジンへ吸入される排出管２９に接続される。
【００１４】
前記表示部３は、ケース１内において一端面１ａからケース１内方に向けて突設され先端に着色部７を有する凸状部８と、この凸状部８に対して進退可能に取付けられ且つ付勢手段である圧縮スプリング４によって一端面１ａに押圧される凹状の鏡体１３と、この鏡体１３の底面に設けられ鏡体１３が一端面１ａに押圧された状態において着色部７が挿入される筒状支持体１７とからなるものである。
【００１５】
前記凸状部８は、本実施形態では、ケース１の一端面１ａの中央部配設されるものであり、その先端の着色部７は赤などで着色されている。
【００１６】
また、鏡体１３は椀状をなすものでありその底部に開口１３ａを有し、この開口１３ａに前記筒状支持体１７が接続され、全体で漏斗状をなしている。なお、鏡体１３は、本実施形態では、これの上部開口側に案内筒１４が設けられており、この案内筒１４によってケース１の内周面に摺動可能に嵌合されている。
【００１７】
また、筒状支持体１７は、本実施形態では、これの下部には基盤１５が配設され、基盤１５の下部にはスプリング受け１８が設けられるとともに、このスプリング受け１８と取付部２との間には圧縮スプリング４が設けられている。なお、この筒状支持体１７の上部外周部にはフック係合溝１６が形成されている。
【００１８】
そして、圧縮スプリング４によって鏡体１３がケース１の一端面１ａに押圧された状態にあっては、図１に示すように、凸状部８は鏡体１３で覆われるとともに、凸状部８の先端の着色部７が筒状支持体１７内に挿入される。また、鏡体１３が後退した状態にあっては、図３に示すように、着色部７が筒状支持体１７内から離脱して露出する。
【００１９】
一方、ベロフラム５は圧縮スプリング４の外周に配設されるもので、これの上端１９は基盤１５とスプリング受け１８との間に挟持され、その下端２０は前記ケース１の下面２１と取付部２とに挟持されている。これにより、このベロフラム５は、ケース１の内部を、取付孔１２を介してエアクリーナ２７と連通する負圧側２２と、大気に開放された大気側２３とに隔成している。
【００２０】
他方、フック６は、図２に示すように、支持体１７の外周に接するとともにケース１を横方向に貫通するように延び、かつケース１の径方向とほぼ平行な二本の弾性棒２４と、ケース１の外方にて二本の弾性棒２４の一端が連接される押圧部２５と、ケース１の内周面に掛合するよう弾性棒２４に一体形成された係止部２６とを備えるものである。
【００２１】
そして、このフック６は、これの弾性棒２４をケース１の側部中央に穿設された連通口９、１０間に刺し渡されてケース１を貫通するように配設されるとともに、ケース１内において、支持体１７は二本の弾性棒２４、２４によって挟持されている。
【００２２】
以上の構成のエアクリーナ用目詰まり検知装置１００は、図５に示すように、エアクリーナ２７のエレメント２８で清浄となった空気がエンジンへ供給される排出管２９の内部と取付部２の取付孔１２を介してベロフラム５の内部の負圧側２２に負圧が伝達されるように取り付けられる。
【００２３】
そして、エレメント２８が目詰まりし、排出管２９内が所定の負圧に達すると、図３に示すように、圧縮スプリング４の力に打ち勝って、ケース１の連通口９、１０から大気側２３に大気が流入し、これによりベロフラム５が収縮する。この結果、表示部３の鏡体１３がケース１の内周面に沿って引き下げられて、図４に示すように、フック係合溝１６に二本の弾性棒２４が係合して表示部３が固定される。このとき、鏡体１３内面のレンズ作用によって着色部７の色が外部に拡大されて映り、透明な一端面１ａを通して目詰まり表示を視認することができる。
【００２４】
なお、エレメント２８を掃除するか、或いは新しいエレメント２８に交換して目詰まりの状態を解消した後には、フック６の押圧部２５をケース１の径方向に押すことによって、弾性棒２４の係止部２６がケース内部に接触し、さらに弾性棒２４が外方に湾曲し、弾性棒２４をフック係合溝１６から外すことができる。これによって、圧縮スプリング４の力で表示部３を元の位置に戻すことができる。
【００２５】
【発明の効果】
以上実施形態によって詳細に説明したように、この発明のエアクリーナ用目詰まり検知装置によれば、エアクリーナ内において、目詰まりによって所定の負圧が発生すると、ベロフラムが付勢手段に抗して収縮することにより鏡体と支持体が後退するとともに、係合手段により鏡体が固定される。このとき、支持体内から露出した凸状部先端の着色部が鏡体に拡大して映り、これがケースの透明な一端面を通して視覚され、目詰まりを検知することができる。また、エレメントを掃除するか、或いは新しいエレメントに交換して目詰まりの状態を解消した後には、フックの押圧部をケースの径方向に押すことによって、弾性棒の係止部がケース内部に接触し、さらに弾性棒が外方に湾曲し、弾性棒をフック係合溝から外すこともできる。これによって、スプリングの力で表示部を元の位置に戻すことが可能となる。
【図面の簡単な説明】
【図１】この発明のエアクリーナ用目詰まり検知装置の断面図である。
【図２】同エアクリーナ用目詰まり検知装置の支持体とフックの関係を示す断面図である。
【図３】同エアクリーナ用目詰まり検知装置の目詰まり状態を示す組立て断面図である。
【図４】同エアクリーナ用目詰まり検知装置の目詰まり状態を示す支持体とフックの関係を示す断面図である。
【図５】エアクリーナ用目詰まり検知装置がエアクリーナへ取り付けられた状態図である。
【符号の説明】
１  ケース
２  取付部
３  表示部
４  圧縮スプリング（付勢手段）
５  ベロフラム
６  フック（係合手段）
７  着色部
１３  鏡体
【図１】
0003698466.tif 000002
【図２】
0003698466.tif 000003
【図３】
0003698466.tif 000004
【図４】
0003698466.tif 000005
【図５】
0003698466.tif 000006